(57)【要約】【課題】ホール側の営業方針で発射停止スイッチの位置を選択することができ、不正行為の一因となり得る止め打ちの有無をホール側で容易に確認することができ、体感器等を用いた完全な不正行為への発展を未然に防止する。【解決手段】１台のパチンコ機１１０に２個の発射停止スイッチ２１０、２１２を設け、一方（第１の発射停止スイッチ２１０）は遊技者が操作し難い位置に配設し、他方（第２の発射停止スイッチ２１２）は遊技者が操作し易い位置に配設し、ホール側の営業方針で、何れか一方を開閉部材２３０を開放して操作可能とし、他方を開閉部材２３０を閉止して施錠することで操作不可とした。これにより、１台のパチンコ機で２種類の発射停止スイッチの操作性の形態を構成することができる。【選択図】　　　　図１
2004081523.tif 000002
【特許請求の範囲】
【請求項１】
遊技者がハンドルを操作することで強度調整がなされた状態で遊技球を所定の搬送経路に沿って発射して遊技盤面へ送り出し、当該遊技球の前記遊技盤面上の移動によって遊技が進行する遊技機であって、
前記ハンドルを把持し、かつ所定の発射強度に調整された操作位置を維持して前記遊技球の発射を一時的に停止させる一時停止制御手段と、
前記ハンドルを把持する遊技者の一方の手では届かず、かつ、当該一方の手とクロスする他方の手によって操作可能な位置に配設され、前記一時停止制御手段による遊技球発射の一時停止の実行を指示する第１の操作部と、
前記ハンドルを把持する遊技者の一方の手では届かず、かつ、当該一方の手とクロスすることなく他方の手によって操作可能な位置に配設され、前記一時停止制御手段による遊技球発射の一時停止の実行を指示する第２の操作部と、
前記第１の操作部及び第２の操作部にそれぞれ設けられ、当該第１の操作部及び第２の操作部を遮蔽して操作不可とする閉止位置、並びに当該第１の操作部及び第２の操作部を露出して操作可能とする開放位置の２位置を取り得る開閉部材と、
を有する遊技機。
【請求項２】
前記開閉部材のいずれか一方を選択的に開放位置とし、他方を閉止状態で施錠することを特徴とする請求項１記載の遊技機。
【発明の詳細な説明】
【０００１】
【発明の属する技術分野】
本発明は、遊技者がハンドルを操作することで強度調整がなされた状態で遊技球を所定の搬送経路に沿って発射して遊技盤面へ送り出し、当該遊技球の前記遊技盤面上の移動によって遊技が進行する遊技機に関するものである。
【０００２】
【従来の技術及び発明が解決しようとする課題】
従来より、遊技機、特にパチンコ機において、発射装置の一部を構成する発射ハンドルを遊技者が操作することで、所定の強度でパチンコ球が発射され、ゲージ盤へ送り出される。
【０００３】
一般にハンドルは、回転操作することで、発射強度が調整でき、このため、遊技者は、ハンドルを把持した状態でこのハンドルを回転させる。また、手を離すと、付勢力によって自動的に元の位置まで逆転し、発射は停止する。
【０００４】
すなわち、遊技者はハンドルを把持することが遊技を実行する前提となっているが、例えば、複数の遊技台を占有し、ハンドルの回転部材と固定部材との間に異物を挟み込み、所定の発射強度の回転位置で保持することで、ハンドルを把持しないで遊技を実行する場合がある。
【０００５】
このような遊技状態は、通常の遊技状態に反するため、ハンドルにタッチセンサを設け、このタッチセンサによって遊技者の把持状態を監視し、確実に把持していることを確認した上で、発射装置を動作可能とすることがなされている。
【０００６】
また、このハンドルには、発射停止スイッチが備えられており、遊技者が現在の発射強度のままを維持して一時的に発射を停止したいときに、ハンドルを把持している手の何れかの指を伸ばすことで、操作（押圧操作）され、一時的にパチンコ球の発射を停止することができる。
【０００７】
従来では、このようなパチンコ機の発射停止スイッチとして、特開閉１０−７０９７５号に開示されているように発射停止スイッチ（ボタン）が操作（押圧）し易い位置／構造が主流となっている。
【０００８】
ここで、遊技者は、主に遊技中において遊技者に有利な遊技状態とする抽選のトリガとなる入賞口（始動入賞口）への入賞が有効となる限度（保留数）が最大となった場合、その後に始動入賞口に入賞しても抽選がキャンセルされるため、このような場合、前記発射停止スイッチを操作することで、意図的にパチンコ球の発射を停止することができる。
【０００９】
このような状況では、無駄球を防止するという目的であるため、発射停止スイッチが操作し易い位置にあることは有効である。
【００１０】
なお、操作し易い位置とは、ハンドルを操作している手の指先の動作で操作可能な位置はもちろん、ハンドルを操作していない手であっても、両手がクロスしないような位置であれば、不自然な動作にはならず、操作し易い位置の範疇に含まれる。例えば、パチンコ球を貯留する受け皿（上皿又は下皿）の縁部等が挙げられる。
【００１１】
一方、操作し難い位置とは、操作することで不自然な動作、すなわち、両手がクロスするような状態でないと操作できない位置にあることを言う。例えば、ハンドルよりも向かって右側にあり、かつこのハンドルを操作している手では届かない位置等が挙げられる。
【００１２】
しかしながら、反面、発射停止スイッチが操作し易い位置にあると、不正を目的とした、所謂止め打ちに使用されても、この不正行為の発見が遅くなる。すなわち、わずかな指先の動きで発射停止操作が可能であるため、大きな動作がなく、店員に気づかれ難い。
【００１３】
上記の如く、発射停止スイッチは、遊技者にとって操作し易い位置にあることは、遊技上有効なことであるが、逆に操作し易いことで、不正行為の発見を遅らせるという二律背反の関係にある。
【００１４】
なお、ホールによっては、止め打ち自体の行為は不正行為とはみなさず、体感器等を用いた場合にのみ不正行為とみなし、前記止め打ちを黙認する場合もあり、ホールの営業方針によっても、発射停止スイッチの位置は様々な要求がある。
【００１５】
本発明は上記事実を考慮し、ホール側の営業方針で発射停止スイッチの位置を選択することができ、不正行為の一因となり得る止め打ちの有無をホール側で容易に確認することができ、体感器等を用いた完全な不正行為への発展を未然に防止することができる遊技機を得ることが目的である。
【００１６】
【課題を解決するための手段】
請求項１記載の発明は、遊技者がハンドルを操作することで強度調整がなされた状態で遊技球を所定の搬送経路に沿って発射して遊技盤面へ送り出し、当該遊技球の前記遊技盤面上の移動によって遊技が進行する遊技機であって、前記ハンドルを把持し、かつ所定の発射強度に調整された操作位置を維持して前記遊技球の発射を一時的に停止させる一時停止制御手段と、前記ハンドルを把持する遊技者の一方の手では届かず、かつ、当該一方の手とクロスする他方の手によって操作可能な位置に配設され、前記一時停止制御手段による遊技球発射の一時停止の実行を指示する第１の操作部と、前記ハンドルを把持する遊技者の一方の手では届かず、かつ、当該一方の手とクロスすることなく他方の手によって操作可能な位置に配設され、前記一時停止制御手段による遊技球発射の一時停止の実行を指示する第２の操作部と、前記第１の操作部及び第２の操作部にそれぞれ設けられ、当該第１の操作部及び第２の操作部を遮蔽して操作不可とする閉止位置、並びに当該第１の操作部及び第２の操作部を露出して操作可能とする開放位置の２位置を取り得る開閉部材と、を有している。
【００１７】
請求項１記載の発明によれば、位置停止制御手段を実行させる操作部として、操作し難い位置（第１の操作部）と、操作し易い位置（第２の操作部）との双方にそれぞれ設けた。
【００１８】
操作し難い位置とは、ハンドルを把持する遊技者の一方の手では届かず、かつ、当該一方の手とクロスする他方の手によって操作可能な位置であり、ハンドルを把持している一方の手の指先のみの動きではなく、かつ他方の手の動きが必要となるが、両手がクロスして不自然な動きとなり、容易に操作ができない。
【００１９】
また、操作し易い位置とは、ハンドルを把持する遊技者の一方の手では届かず、かつ、当該一方の手とクロスすることなく他方の手によって操作可能な位置であり、ハンドルを把持している一方の手の指先のみの動きではなく、他方の手の動きが必要となるが、両手がクロスしないので不自然な動きとはならず、容易に操作が可能である。
【００２０】
このように、操作し難い位置と操作し易い位置とに一時停止制御手段を実行させる操作部を併設し、それぞれに開閉部材を設けることで、ホール側の営業方針で選択的な使用が可能となる。
【００２１】
請求項２に記載の発明は、前記請求項１に記載の発明において、前記開閉部材のいずれか一方を選択的に開放位置とし、他方を閉止状態で施錠することを特徴としている。
【００２２】
請求項２に記載の発明によれば、第１の操作部の開閉部材と、第２の操作部の開閉部材とを選択的にいずれか一方を開放し、他方を閉止状態で施錠することで、遊技者の意図で第１の操作部又は第２の操作部を選択することを禁止することができる。
【００２３】
【発明の実施の形態】
図１には、第１の実施の形態に係るパチンコ機１１０が示されている。このパチンコ機１１０は、矩形の枠体１１３でその外形が構成されており、店側のベース面１１５に支持されている。また、枠体１１３には、装飾版１１３Ａ、スピーカ１６２、キーシリンダ１１３Ｂ等が配設されている。
【００２４】
枠体１１３の内側正面には、透明ガラス板１１０Ａがガラス枠１１０Ｂに嵌め込まれた状態で配設されている。この透明ガラス板１１０Ａで仕切られた内側領域には、遊技盤１１１が配設されている。また、この遊技盤１１１における円弧状のレール１１２で囲まれた領域が遊技領域であるゲージ部１１４とされている。
【００２５】
図２に示される如く、ゲージ部１１４には、全面に渡って複数の釘１１６が打ち込まれ、レール１１２を通って打ち出されたパチンコ球がこの釘１１６に当たって跳ねたり、釘１１６によって形成される案内路に案内されながら、落下していくようになっている。また、この釘１１６の他、ゲージ部１１４に向かって左右対称の位置には、４個の風車１１８Ａ乃至Ｄが取り付けられており、パチンコ球を予期しない方向へ方向転換させるようになっている。
【００２６】
さらに、ゲージ部１１４には複数の位置に入賞口１２０が設けられ、この入賞口１２０にパチンコ球が入ることにより、所定数のパチンコ球が遊技者に払い出されるようになっている。
【００２７】
このようなゲージ部１１４は、ほぼ左右対称系とされており、この中央部には電動役物ユニット１２２が配置され、その表示部１２４が露出されている。この表示部１２４の下方には電動役物ユニット１２２を始動するための特別図柄始動入賞口１２６が設けられている。
【００２８】
特別図柄始動入賞口１２６のさらに下方には、大入賞口１２８が配置され、この大入賞口１２８を開閉する開閉部材１２９は、前記電動役物ユニット１２２での所謂当りの表示状態で所定時間の開放が所定回数繰り返され、大量のパチンコ球を入賞させることができる構成となっている。
【００２９】
また、前記電動役物ユニット１２２の上部には、横１列に４個の保留ランプ２００が配列されている。この保留ランプ２００は、特別図柄始動入賞口１２６に入賞したパチンコ球が最大４球分保留されていることを点灯状態で報知するものであり、電動役物ユニット１２２による抽選結果の案内が終了した時点で、保留された分が消化されて消灯するようになっている。
【００３０】
また、ゲージ部１１４には、普通図柄始動入賞口１３０が設けられており、普通図柄始動入賞口１３０にパチンコ球が入賞すると、普通図柄表示部１３２（図３参照）の表示が変動し、所定当り数字になると、前記特別図柄始動入賞口１２６に設けられた可動部としての電動チューリップ１３４が所定時間開放するようになっている。この電動チューリップ１３４の開放により、特別図柄始動入賞口１２６への入賞の確率が物理的に高まることになる。
【００３１】
図１に示される如く、上記ゲージ部１１４の下部、すなわち、透明ガラス板１１０Ａの下部は、パネル部１４０とされ、その上部パネル１４０Ａには上皿１４１が設けられ、下部パネル１４０Ｂには、発射装置の操作部としてのハンドル１３６と、上皿１４１から落下するパチンコ球を受ける下皿１３８とが設けられている。なお、下部パネル１４０Ｂには、灰皿１４３も設けられている。
【００３２】
ハンドル１３６は、前記パネル１４０の内部から突出された回転軸に取付けられており、この回転軸を中心に回転可能とされている。すなわち、遊技者がこのハンドル１３６を把持して回転することで、発射装置が稼動すると共に、前記回転角度に基づいて発射強度が設定されるようになっている。なお、この回転には、復帰付勢力が付与されており、遊技者が手を離すと自動的に元の回転位置に戻る構造となっている。
【００３３】
ここで、本実施の形態のパチンコ機１１０では、ハンドル１３６の操作によるパチンコ球の発射を一時的に停止するための２個の発射停止スイッチ２１０、２１２（以下、第１の発射スイッチ２１０、第２の発射スイッチ２１２という。）を適宜位置に設けている。
【００３４】
図３には、発射制御系の簡単な制御ブロック図が示されており、ハンドル１３６の回転機構により変化する抵抗値によって強度制御部２１４では発射強度が設定される。また、ハンドル１３６には電極２１６が設けられ、遊技者（人間）が保持する静電気量を利用したタッチセンサ２１８により静電気量を検出し、ハンドル１３６の把持状態を監視している。この監視結果は発射コントローラ２２０へ送出される。
【００３５】
前記強度制御部２１４によって設定された強度信号は発射コントローラ２２０に送出され、タッチセンサ２１８からのハンドル１３６を把持している信号の入力を条件に、ドライバ２２２に発射信号が送出され、ドライバ２２２では、この発射信号に基づく発射強度で発射装置２２４を動作させる。
【００３６】
前記発射コントローラ２２０には、前記第１の発射スイッチ２１０と第２の発射スイッチ２１２からの信号が入力されており、いずれか一方から停止信号が入力されうることで、ドライバ２２２への発射信号の出力を停止する。
【００３７】
図１及び図４（Ｂ）に示される如く、第１及び第２の発射停止スイッチ２１０、２１２は、それぞれ押しボタン２２６を備えており、この押しボタン２２６が押圧されることで、内部のスイッチの接点が切り替えられ、停止指示信号を出力するようになっている。
【００３８】
図１に示される如く、一方の発射停止スイッチ２１０（第１の発射スイッチ２１２）は、前記ハンドル１３６が設けられたパチンコ機１１０の向かって右側の縁の枠体１１３の正面で、かつ、前記ハンドル１３６を把持した一方の手では指先を伸ばしても届かず、他方の手をクロスさせないと届かない位置に設けられている（操作し難い位置）。
【００３９】
他方の発射停止スイッチ２１２（第２の発射スイッチ）は、上皿１４１におけるパチンコ機１１０の中央よりも向かって左寄りの正面で、かつ、前記ハンドル１３６を把持した一方の手では届かないが、他方の手をクロスすることなく届く位置に設けられている（操作し易い位置）。
【００４０】
また、図４に示される如く、第１及び第２の発射停止スイッチ２１０、２１２が設けられる木枠１１３及び上皿１４１の表面には、矩形の開口部２２８が設けられ、この開口部２２８の内部は空間とされ、前記押しボタン２２６の押圧面（先端面）は、木枠１１３及び上皿１４１の表面よりも陥没した位置となっている。
【００４１】
開口部２２８には、それぞれ開閉部材２３０が設けられ、スライドすることで、開口部２２８を閉止又は開放することが可能となっている。
【００４２】
この開閉部材２３０の閉止状態（図４（Ａ）の状態）では、前記発射スイッチ２１０、２１２の押しボタン２２６は完全に遮蔽されて、当該押しボタン２２６の押圧操作が不可とされ、開放状態（図４（Ｂ）参照）では、押しボタン２２６が露出されて、当該押しボタン２２６の押圧操作が可能となる。
【００４３】
また、開口部２２８の近傍には施錠シリンダ２３２が配設されている。この施錠シリンダ２３２は、前記開閉部材２３０に連結可能なアーム（図示省略）が取り付けられ、鍵２３４を鍵穴２３２Ａに挿入し、回転操作することで、アームと開閉部材２３０との連結、連結解除を行うことができる。すなわち、開閉部材２３０は閉止状態で施錠することができることになる。
【００４４】
上記２個の第１及び第２の発射停止スイッチ２１０、２１２の併設によって、ホール側では、営業方針に基づいて、少なくとも何れか一方を選択し、開閉部材２３０を開放することで、同一のパチンコ機１１０であっても、発射停止操作がし難いパチンコ機１１０（第１の発射停止スイッチ２１０適用）と、発射停止操作がし易いパチンコ機１１０（第２の発射停止スイッチ２１２適用）と、の異なる機能を持つパチンコ機１１０を構成することが可能となる。
【００４５】
表１は、開閉部材２３０の開閉状態と第１及び第２の発射停止スイッチ２１０、２１２の有効、無効状態を表しており、この表１に示される如く、４種類の形態が考えられる。
【００４６】
【表１】
2004081523.tif 000003
【００４７】
以下に本実施の形態の作用を説明する。
【００４８】
まず、パチンコ球が発射されると、レール１１２に案内されてゲージ部１１４の釘１１６や風車１１８Ａ乃至Ｄ等に当接しながら、予測し得ない移動をしながら落下していく。ここで、入賞口１２０に入賞すると、予め定められた数のパチンコ球が払い出される（賞球）。また、普通図柄始動入賞口１３０に入賞するとこれを普通図柄入賞センサ１７０で検出する。
【００４９】
この検出により、普通図柄の抽選が開始される。すなわち、乱数カウンタを用いて、所定の確率で０〜９までの数字を抽選する。抽選の結果、外れの場合には、特に遊技状態に変化はない。一方、抽選の結果、当り（例えば、当り数字の７が抽選される）の場合には、特別図柄始動入賞口１２６に設けられた電動チューリップ１３４を開放状態とする。これにより、特別図柄始動入賞口にパチンコ球が入り易い、高確率状態とすることができる。
【００５０】
前記特別図柄始動入賞口１２６にパチンコ球が入賞すると、乱数カウンタを用いて所定の確率下で大当り抽選が開始される。この大当り抽選の結果、当り／外れが決定すると、それぞれにおいて、予め準備された図柄変動パターン（図柄変動パターン）を選択（乱数カウンタで選択してもよい）し、表示部１２４に図柄変動パターンを表示する。この図柄変動パターンにおいては、リーチを経由した当り、外れリーチ、リーチを経由しない外れ等、様々な演出があり、遊技者は期待感をもって抽選結果を待つことができる。
【００５１】
すなわち、当り時の図柄変動制御が終了すると、予め設定したラウンド数（例えば、１５ラウンド）の大当たり処理が実行される。この大当たり処理中は、大入賞口１２８がほとんど開放状態であるため、遊技者によって有利な状態とすることができる。所定ラウンドの大当たり処理が終了すると、通常の遊技に戻る。
【００５２】
上記遊技の進行中、保留ランプ２００が全て点灯しているときは、特別始動入賞口１２６への入賞が抽選の対象とはならず、キャンセルされることになる。このため、無駄球の防止のため、発射を一時的に停止することがなされる。
【００５３】
このような行為は、日常的に行われることであるが、この無駄球防止とは別に、止め打ちを行って、特別始動入賞口１２６への入賞時期を操作する所謂不正行為がなされることもある。なお、この止め打ちを不正行為とみなすホールもあれば、止め打ち自体は不正行為とみなさないホールもあり、営業方針によって様々である。
【００５４】
そこで、本実施の形態では、パチンコ球の一時的な発射停止を指示する２個の発射停止スイッチ（第１の発射停止スイッチ２１０、第２の発射停止スイッチ２１２）を、遊技者が操作し難い位置と、遊技者が操作し易い位置とに配設し、ホール側の営業方針によって選択可能とした。
【００５５】
すなわち、第１の発射停止スイッチ２１０は、パチンコ機１１０の向かって右側の木枠１１３におけるハンドル１３６を把持した手では届かない位置に設けられ、押しボタン２２６は開口部２２８内に埋設されている。
【００５６】
また、第２の発射停止スイッチ２１２は、上皿１４１におけるパチンコ機１１０の中央よりも向かって左寄りに設けられ、ハンドル１３６を把持した手では届かない位置に設けられ、押しボタン２２６は開口部２２８内に埋設されている。
【００５７】
それぞれの開口部２２８には、開閉部材２３０が取り付けられており、ホール側の選択で、開閉状態を設定する。開閉部材２３０は、施錠可能であるため、例えば、一方を開放し、他方を閉止して施錠することで、遊技者は開口部２２８が開放された発射停止スイッチ２１０（又は２１２）のみの操作を余儀なくされる。
【００５８】
第１の発射停止スイッチ２１０の押しボタン２２６を操作する場合には、ハンドル１３６を把持した一方の手ではない他方の手をクロスして操作する必要があり、操作がし難い。従って、操作する場合には不自然な動作となり、止め打ちを容易に確認することができる。
【００５９】
第２の発射停止スイッチ２１２の押しボタン２２６を操作する場合には、ハンドル１３６を把持した一方の手ではない他方の手を自然な動作で伸ばせば容易に操作できる。従って、無駄球の防止が容易に行える。
【００６０】
このように、本実施の形態では、１台のパチンコ機１１０に２個の発射停止スイッチ２１０、２１２を設け、一方（第１の発射停止スイッチ２１０）は遊技者が操作し難い位置に配設し、他方（第２の発射停止スイッチ２１２）は遊技者が操作し易い位置に配設し、ホール側の営業方針で、何れか一方を開閉部材２３０を開放して操作可能とし、他方を開閉部材２３０を閉止して施錠することで操作不可とした。これにより、１台のパチンコ機で２種類の発射停止スイッチの操作性の形態を構成することができる。
【００６１】
なお、表１に示される如く、開閉部材２３０の開閉によって４パターンの状態を得ることができる。
【００６２】
また、本実施の形態では、２個の発射停止スイッチ２１０、２１２としたが、３個以上の発射停止スイッチを設けてもよい。
【００６３】
さらに、開閉部材２３０の開閉を手動（店員の操作）で行うようにしたが、駆動源を取り付けて、ホールコンピュータ等を用いて遠隔操作で行うようにしてもよい。
【００６４】
【発明の効果】
以上説明した如く本発明では、ホール側の営業方針で発射停止スイッチの位置を選択することができ、不正行為の一因となり得る止め打ちの有無をホール側で容易に確認することができ、体感器等を用いた完全な不正行為への発展を未然に防止することができるという優れた効果を有する。
【図面の簡単な説明】
【図１】本実施の形態に係るパチンコ機の正面図である。
【図２】本実施の形態に係るゲージ部の正面図である。
【図３】本実施の形態に係る発射制御系のブロック図である。
【図４】第１及び第２の発射スイッチを露出、遮蔽するための開閉部材の開閉状態を示す斜視図である。
【符号の説明】
１１０　　パチンコ機（遊技機）
１２４　　表示部
１２６　　特別図柄始動入賞口
１３６　　ハンドル
２１０　　第１の発射停止スイッチ（第１の操作部）
２１２　　第２の発射停止スイッチ（第２の操作部部）
２１４　　強度制御部
２１６　　電極
２１８　　タッチセンサ
２２０　　発射コントローラ（一時停止制御手段）
２２２　　ドライバ
２２４　　発射装置
２２６　　押しボタン（第１の操作部、第２の操作部）
２２８　　開口部
２３０　　開閉部材
２３２　　施錠シリンダ
２３２Ａ　　鍵穴
２３４　　鍵
【図１】
2004081523.tif 000004
【図２】
2004081523.tif 000005
【図３】
2004081523.tif 000006
【図４】
2004081523.tif 000007